【手続補正書】
【提出日】平成19年9月5日(2007.9.5)
【手続補正１】
【補正対象書類名】明細書
【補正対象項目名】特許請求の範囲
【補正方法】変更
【補正の内容】
【特許請求の範囲】
【請求項１】  Ｎアンテナ素子と、
Ｎ無線周波数トランシーバと、
前記Ｎアンテナ素子と前記Ｎ無線周波数トランシーバとの各々を接続するフィーダ・ケーブルと、
を備え、
前記Ｎ無線周波数トランシーバは、ワイヤレス通信システム基地局のベースバンド・デジタル信号プロセッサとデータ・バスを介して接続され、
前記ワイヤレス通信システム基地局のセル受信可能範囲および該セル受信可能範囲のトラフィック容量にもとづいて、前記Ｎアンテナ素子と前記Ｎ無線周波数トランシーバとは、複数のアンテナ素子グループと対応する複数の無線周波数トランシーバ・グループとに、対応してグループ化され、
異なるアンテナ素子グループが前記ワイヤレス通信システム基地局によってカバーされる異なる場所に分散され、
各々のアンテナ素子グループは対応する無線周波数トランシーバ・グループに接続され、
各々の無線周波数トランシーバ・グループは前記データ・バスを介して前記ベースバンド・デジタル信号プロセッサに接続される、
分散スマート・アンテナ・システム。
【請求項２】  各々のアンテナ素子グループは、対応する無線周波数トランシーバ・グループの１〜Ｍ無線周波数トランシーバと対応して接続され、
Ｍの選択は移動加入者数と伝搬環境とにもとづく、
請求項１に記載のシステム。
【請求項３】  １つのアンテナ素子グループの１〜Ｍアンテナ素子、および、対応する無線周波数トランシーバ・グループの１〜Ｍ無線周波数トランシーバは同一の場所に分散される、請求項２に記載のシステム。
【請求項４】 １つのアンテナ素子グループの１〜Ｍアンテナ素子は同一の場所に分散され、対応する、および、対応しない、無線周波数トランシーバ・グループの無線周波数トランシーバは集中した場所に分散される、請求項２に記載のシステム。
【請求項５】  前記異なる場所は、前記ワイヤレス通信システム基地局による受信可能セルの異なるビル、もしくは、該ワイヤレス通信システム基地局による受信可能ビルの異なるフロアである、請求項１に記載のシステム。
【請求項６】  ビルの前記異なるフロアに分散することは、各々のフロアが１つのアンテナ素子グループに割り当てられる、もしくは、１つのアンテナ素子グループに２フロアのセットが割り当てられる、ことにもとづき、
各々のアンテナ素子グループが、同一周波数、タイムスロット、および、コード・チャネルをインターリーブで利用する、
請求項５に記載のシステム。
【請求項７】  ビルの前記異なるフロアに対し、分散することは、各々のフロアが１つのアンテナ素子グループに割り当てられる、ことにもとづき、
各々のアンテナ素子グループが、同一周波数、タイムスロット、および、コード・チャネル、異なる干渉コードおよびトレーニング・シーケンスを利用する、
請求項６に記載のシステム。
【請求項８】  Ｎアンテナ素子グループと、
Ｎ無線周波数トランシーバ・グループと、
ベースバンド・デジタル信号プロセッサと、
を備え、
各々のアンテナ素子グループは、１〜Ｍアンテナ素子を有し、
各々の無線周波数トランシーバ・グループは１〜Ｍ無線周波数トランシーバを有し、
Ｎグループを形成するように、１つのアンテナ素子グループの１〜Ｍアンテナ素子は、１つの無線周波数トランシーバ・グループの１〜Ｍ無線周波数トランシーバに対応して接続され、
異なるグループのアンテナ素子は、ワイヤレス通信システム基地局の受信可能範囲内の異なるビルに分散され、
異なるグループのアンテナ素子は同一の周波数、タイムスロット、および、コード・チャネルを利用し、
異なるグループの無線周波数トランシーバはデータ・バスを介してベースバンド・デジタル信号プロセッサと接続される、
分散スマート・アンテナ・システム。
【請求項９】  １〜Ｍ無線周波数トランシーバ、および、対応する１つのグループの１〜Ｍアンテナ素子は、同一のビル、もしくは、異なるビルに設置される、請求項８に記載のシステム。
【請求項１０】  Ｎアンテナ素子グループと、
Ｎ無線周波数トランシーバ・グループと、
ベースバンド・デジタル信号プロセッサと、
を備え、
各々のアンテナ素子グループは、１〜Ｍアンテナ素子を有し、
各々の無線周波数トランシーバ・グループは１〜Ｍ無線周波数トランシーバを有し、
Ｎグループを形成するように、１つのアンテナ素子グループの１〜Ｍアンテナ素子は、１つの無線周波数トランシーバ・グループの１〜Ｍ無線周波数トランシーバに対応して接続され、
異なるグループのアンテナ素子は、ワイヤレス通信システム基地局の受信可能範囲内の１つのビルの異なるフロアに分散され、
異なるフロアのアンテナ素子は、インターリーブで、同一の周波数、タイムスロット、および、コード・チャネルを利用し、もしくは、同一の周波数、タイムスロット、および、コード・チャネル、異なる干渉コードおよびトレーニング・シーケンスを利用し、
異なるグループの無線周波数トランシーバはデータ・バスを介してベースバンド・デジタル信号プロセッサと接続される、
分散スマート・アンテナ・システム。
【請求項１１】  １〜Ｍ無線周波数トランシーバ、および、対応する１つのグループの１〜Ｍアンテナ素子は、前記ビルの同一のフロア、もしくは、異なるフロアに設置される、請求項１０に記載のシステム。
【手続補正２】
【補正対象書類名】明細書
【補正対象項目名】００１０
【補正方法】変更
【補正の内容】
【００１０】
分散スマート・アンテナ・システムはＮアンテナ素子、Ｎ無線周波数トランシーバ、および、Ｎアンテナ素子とＮ無線周波数トランシーバとをそれぞれ接続するフィーダ・ケーブルを備える。Ｎ無線周波数トランシーバは、データ・バスを介してワイヤレス通信システム基地局のベースバンド・デジタル信号プロセッサに接続される。ワイヤレス通信システム基地局のセル受信可能範囲、または、セル受信可能範囲のトラフィック容量にもとづいて、Ｎアンテナ素子およびＮ無線周波数トランシーバは、複数アンテナ素子グループおよび対応する複数無線周波数トランシーバ・グループに、対応してグループ化される。異なるアンテナ素子グループは、ワイヤレス通信システム基地局によってカバーされる異なる場所に分散配置される。各アンテナ素子グループは対応する無線周波数トランシーバ・グループに接続される。各無線周波数トランシーバ・グループは、データ・バスを介してベースバンド・デジタル信号プロセッサに接続される。
【手続補正３】
【補正対象書類名】明細書
【補正対象項目名】００１１
【補正方法】削除
【補正の内容】
【手続補正４】
【補正対象書類名】明細書
【補正対象項目名】００１４
【補正方法】変更
【補正の内容】
【００１４】
１つのビルの異なるフロアに対し、前記配置は、各フロアが１つのアンテナ素子グループに割当てられるか、または２フロアのセットが１つのアンテナ素子グループに割当てられることにもとづくことができ、各アンテナ・グループは同一周波数、タイム・スロットおよびコード・チャネルをインターリーブに利用する。
【手続補正５】
【補正対象書類名】明細書
【補正対象項目名】００１７
【補正方法】変更
【補正の内容】
【００１７】
分散スマート・アンテナ・システムは、Ｎアンテナ素子グループと、Ｎ無線周波数トランシーバ・グループと、ベースバンド・デジタル信号プロセッサとを備える。各アンテナ素子グループは１〜Ｍのアンテナ素子を含み、各無線周波数トランシーバ・グループは１〜Ｍの無線周波数トランシーバを含む。１つのアンテナ素子グループの１〜Ｍのアンテナ素子は、１つの無線周波数トランシーバ・グループの１〜Ｍの無線周波数トランシーバに対応して接続され、Ｎグループを形成する。異なるグループのアンテナ素子は、ワイヤレス通信システム基地局の受信可能範囲内の異なるビルに配置され、同一周波数、タイム・スロット、およびコード・チャネルを利用する。異なるグループの無線周波数トランシーバはデータ・バスを介してベースバンド・デジタル信号プロセッサに接続される。
【手続補正６】
【補正対象書類名】明細書
【補正対象項目名】００１８
【補正方法】変更
【補正の内容】
【００１８】
１つのグループの１〜Ｍの無線周波数トランシーバおよび対応する１〜Ｍのアンテナ素子は同一ビルまたは異なるビルに対し設置される。
【手続補正７】
【補正対象書類名】明細書
【補正対象項目名】００２０
【補正方法】変更
【補正の内容】
【００２０】
分散スマート・アンテナ・システムは、Ｎアンテナ素子グループと、Ｎ無線周波数トランシーバ・グループと、ベースバンド・デジタル信号プロセッサとを備える。各アンテナ素子グループは１〜Ｍのアンテナ素子を含み、各無線周波数トランシーバ・グループは１〜Ｍの無線周波数トランシーバを含む。１つのアンテナ素子グループの１〜Ｍのアンテナ素子は、１つの無線周波数トランシーバ・グループの１〜Ｍの無線周波数トランシーバに対応して接続され、Ｎグループを形成する。異なるグループのアンテナ素子はワイヤレス通信システム基地局の受信可能範囲内のビルの異なるフロアに配置され、同一周波数、タイム・スロットおよびコード・チャネルをインターリーブに利用するか、または、同一周波数、タイム・スロットおよびコード・チャネル、異なる干渉コードおよびトレーニング・シーケンスを利用する。異なるグループの無線周波数トランシーバはデータ・バスを介してベースバンド・デジタル信号プロセッサに接続される。
【手続補正８】
【補正対象書類名】明細書
【補正対象項目名】００２１
【補正方法】変更
【補正の内容】
【００２１】
１つのグループの１〜Ｍの無線周波数トランシーバ、および、対応する１つのグループの１〜Ｍのアンテナ素子は、そのビルの同一フロアまたは異なるフロアに対し設置される。
【手続補正９】
【補正対象書類名】明細書
【補正対象項目名】００２６
【補正方法】変更
【補正の内容】
【００２６】
図２を図１と比較すると、異なる点は、図１ではアンテナ・アレイを構成するアンテナ素子１１〜１Ｎが１つの場所に集中するリング・アレイまたはリニア・アレイであるが、図２ではアンテナ・フィーダ・ケーブル・ユニットおよび関連無線周波数トランシーバが、図２のアンテナ・フィーダ・ケーブル・ユニット・グループ４１、４２、．．．、４Ｎおよび対応する無線周波数トランシーバ・グループ５１、５２、．．．、５Ｎに従って分散して設置されている。各アンテナ・フィーダ・ケーブル・ユニット・グループのアンテナ素子の数と、対応して接続される各無線周波数トランシーバの無線周波数トランシーバの数とは、実際の必要条件に応じて設定できるが、図２に示すように、少なくとも、１つのアンテナ素子および１つの無線周波数トランシーバ、４Ｎおよび５Ｎが存在する。アンテナ・フィーダ・ケーブル・ユニット・グループ４２および無線周波数トランシーバ・グループ５２内には、それぞれ、４つのアンテナ素子および４つの無線周波数トランシーバが存在する。アンテナ・フィーダ・ケーブル・ユニットの各グループおよび無線周波数トランシーバの各グループは、必要な受信可能領域をカバーするが、一般に１つのワイヤレス通信システム基地局を使用する。明らかに、各アンテナ・フィーダ・ケーブル・ユニット・グループを対応する無線周波数トランシーバ・グループに接続するフィーダ・ケーブルの長さは異なる。分散スマート・アンテナを有するワイヤレス通信システムの基地局では、各アンテナ・フィーダ・ケーブル・ユニット・グループおよび対応する無線周波数トランシーバ・グループは、異なる、または、同一搬送周波数、異なる、または、同一タイム・スロット、異なる、または、同一コード・チャネルで動作できる。各アンテナ・フィーダ・ケーブル・ユニット・グループおよび対応する無線周波数トランシーバ・グループが、同一搬送周波数、同一タイム・スロット、同一コード・チャネルで動作するとき、ワイヤレス通信システムの容量は大幅に増加する。